(57)【要約】【課題】  ネットワークを介したシステムにおいてアクセス権限のない機器等への電子データの漏洩を防ぎ、安全に必要な範囲内で確実に処理することができる情報処理装置及び情報処理システム並びに情報処理方法を提供する。【解決手段】  コンテンツ管理サーバ１００９にＬＡＮ１００６を介して接続された複写機１００１は、当該サーバにアクセスして、コンテンツを印刷する権限を有する装置であるか否かの認証を要求し、認証が成功した場合にコンテンツの印刷設定を一定の処理範囲内で行い、設定されたコンテンツの印刷ジョブをサーバから取得する。そして、取得した印刷ジョブを一時的に格納し、当該ジョブに基づいて印刷を実行した後、格納していた印刷ジョブを消去する。【選択図】  図１
2006268353.tif 000002
【特許請求の範囲】
【請求項１】
情報を管理する管理装置にネットワークを介して接続された情報処理装置であって、
前記管理装置にアクセスして、該情報処理装置が該管理装置によって管理される前記情報を処理する権限を有する装置であるか否かの認証を要求する要求手段と、
前記管理装置によって認証が成功した場合に前記情報の処理設定を前記管理装置が管理する該情報の処理範囲内で行う設定手段と、
前記設定手段によって設定された前記情報の処理ジョブを前記管理装置から取得する取得手段と、
前記処理ジョブを格納する格納手段と、
前記処理ジョブに基づいて前記情報を処理する処理手段と、
前記処理ジョブを前記格納手段から消去する消去手段と
を備えることを特徴とする情報処理装置。
【請求項２】
前記要求手段が、前記管理装置に対して前記情報処理装置に固有の識別情報を送信することによって認証を要求し、
前記識別情報と前記管理装置において管理される前記画像を処理する権限を有する装置の識別情報とに基づいて、前記管理装置において前記情報処理装置の認証が成功した場合に該管理装置によって発行される認証成功情報を受信する受信手段をさらに備え、
前記設定手段は、前記受信手段が前記認証成功情報を受信した場合に前記情報の処理設定を前記管理装置が管理する該情報の処理範囲内で行う設定手段と、
ことを特徴とする請求項１に記載の情報処理装置。
【請求項３】
前記情報が、画像、ウェブコンテンツ、或いはページ記述言語データであることを特徴とする請求項１又は２に記載の情報処理装置。
【請求項４】
前記管理装置に対して所定の情報を登録する登録手段をさらに備えることを特徴とする請求項１から３までのいずれか１項に記載の情報処理装置。
【請求項５】
前記処理手段が、前記情報を印刷媒体上に印刷して出力することを特徴とする請求項１から４までのいずれか１項に記載の情報処理装置。
【請求項６】
前記処理手段によって印刷出力される印刷媒体の部数を計数する計数手段をさらに備え、
前記出力手段は、前記計数手段によって計数される前記印刷媒体の部数が、前記管理装置によって管理される前記情報の処理範囲内の部数であることを条件として、該情報を前記印刷媒体上に印刷して出力する
ことを特徴とする請求項５に記載の情報処理装置。
【請求項７】
前記処理手段による前記情報の処理を妨げる障害が発生したか否かを検知する検知手段をさらに備え、
前記消去手段は、前記検知手段によって前記情報の処理を妨げる障害が発生したと検知された場合、前記処理手段による処理前に前記格納手段に格納された前記処理ジョブを消去する
ことを特徴とする請求項１から６までのいずれか１項に記載の情報処理装置。
【請求項８】
前記取得手段による前記処理ジョブの取得時に該情報の処理を妨げる障害が発生したか否かを検知する検知手段と、
前記検知手段によって前記情報の処理を妨げる障害が発生したと検知された場合、前記取得手段による前記処理ジョブの取得を禁止する禁止手段と
をさらに備えることを特徴とする請求項１から６までのいずれか１項に記載の情報処理装置。
【請求項９】
前記処理手段が、前記情報をダウンロードして所定の記憶手段に記憶することを特徴とする請求項１から４までのいずれか１項に記載の情報処理装置。
【請求項１０】
前記情報が、バリアブル印刷時の背景データとなるマスタデータであることを特徴とする請求項９に記載の情報処理装置。
【請求項１１】
前記マスタデータが、偽造防止用の地紋データであることを特徴とする請求項１０に記載の情報処理装置。
【請求項１２】
情報を管理する管理装置と少なくとも１つ以上の情報処理装置とがネットワークを介して接続された情報処理システムであって、
前記管理装置が、
前記情報を処理する権限を有する情報処理装置の識別情報を記憶する記憶手段と、
前記情報の処理を要求する情報処理装置からの認証要求を受け付ける受付手段と、
前記情報処理装置が前記情報の処理を行う権限を有するか否かを認証する認証手段と、
前記認証が成功した場合に前記情報処理装置に対して前記情報の処理ジョブを送信する送信手段とを備え、
前記情報処理装置が、
前記管理装置に対して前記情報の処理を行う権限を有するか否かの認証を要求する要求手段と、
前記管理装置によって認証が成功した場合に該管理装置から前記情報の処理ジョブを受信する受信手段と、
前記処理ジョブを格納する格納手段と、
前記処理ジョブに基づいて前記情報を処理する処理手段と、
前記処理ジョブを前記格納手段から消去する消去手段とを備える
ことを特徴とする情報処理システム。
【請求項１３】
前記管理装置に対して所定の情報を登録する登録手段を備える情報処理装置がさらに前記ネットワークに接続されることを特徴とする請求項１２に記載の情報処理システム。
【請求項１４】
前記情報処理装置が、前記管理装置に対して前記情報の処理を許可する情報処理装置及び該情報の処理範囲を設定する設定手段をさらに備えることを特徴とする請求項１３に記載の情報処理システム。
【請求項１５】
情報を管理する管理装置にネットワークを介して接続された情報処理装置における情報処理方法であって、
前記管理装置にアクセスして、該情報処理装置が該管理装置によって管理される前記情報を処理する権限を有する装置であるか否かの認証を要求する要求工程と、
前記管理装置によって認証が成功した場合に前記情報の処理設定を前記管理装置が管理する該情報の処理範囲内で行う設定工程と、
前記設定工程によって設定された前記情報の処理ジョブを前記管理装置から取得する取得工程と、
前記処理ジョブを格納手段に格納する格納工程と、
前記処理ジョブに基づいて前記情報を処理する処理工程と、
前記処理ジョブを前記格納手段から消去する消去工程と
を有することを特徴とする情報処理方法。
【請求項１６】
情報を管理する管理装置にネットワークを介して接続された情報処理装置に、
前記管理装置にアクセスして、該情報処理装置が該管理装置によって管理される前記情報を処理する権限を有する装置であるか否かの認証を要求する要求手順と、
前記管理装置によって認証が成功した場合に前記情報の処理設定を前記管理装置が管理する該情報の処理範囲内で行う設定手順と、
前記設定手順によって設定された前記情報の処理ジョブを前記管理装置から取得する取得手順と、
前記処理ジョブを格納手段に格納する格納手順と、
前記処理ジョブに基づいて前記情報を処理する処理手順と、
前記処理ジョブを前記格納手段から消去する消去手順と
を実行させるためのプログラム。
【請求項１７】
請求項１６に記載のプログラムを格納したことを特徴とするコンピュータ読み取り可能な記憶媒体。
【発明の詳細な説明】
【技術分野】
【０００１】
本発明は、ネットワーク上の指定された機器の情報を入手して表示するネットワーク表示機能を含む複数の機能が付加された情報処理装置及び情報処理システム並びに情報処理方法に関する。
【背景技術】
【０００２】
近年、デジタル複写機をベースにして多数の機能が付加された複合機能装置が実用化されている。具体的には、複合機能装置は、デジタル複写機に元来備えられているスキャナとプリンタを使用してファクシミリ通信を行ったり、プリンタを使用して他のコンピュータから送られたコードデータをビットマップデータに展開してプリントアウトを行ったり、スキャナを使用してスキャナから読み込んだ画像をネットワーク上に送信したり、また、プリンタを使用してネットワーク上から配信された画像をプリントしたりすることができるような機能の付加が行われている。
【０００３】
一方で、複合機能装置の操作パネルは大型化してきており、その操作パネルを用いて、スキャナやプリンタを利用した機能の操作設定だけでなく、ネットワーク上のリモート機器の操作、状態の監視を行うための表示、或いは組み込みブラウザによるウェブコンテンツの表示が十分可能になっている（例えば、特許文献１参照。）。
【特許文献１】特開２００３−１２２２７９号公報
【発明の開示】
【発明が解決しようとする課題】
【０００４】
上述したような複合機能装置の組み込みブラウザからの印刷では、ＵＲＬから獲得したデータをレンダリングして印刷することが可能である。しかしながら、ネットワーク上の特定の複合機能装置のみに印刷を許可し、出力物の部数を完全に管理したり、印刷対象となった電子データを印刷後に当該複合機能装置内に残留させないようにすることはできなかった。そのため、電子データのセキュリティの観点からは問題があった。
【０００５】
また、特殊なデータを複合機能装置内に取り込んで印刷時に合成する場合には、その特殊なデータを外部に流出させることが不可能なセキュリティを考慮して合成印刷を行うことはできなかった。
【０００６】
本発明は、このような事情を考慮してなされたものであり、ネットワークを介したシステムにおいてアクセス権限のない機器等への電子データの漏洩を防ぎ、安全に必要な範囲内で確実に処理することができる情報処理装置及び情報処理システム並びに情報処理方法を提供することを目的とする。
【課題を解決するための手段】
【０００７】
上記課題を解決するために、本発明は、情報を管理する管理装置にネットワークを介して接続された情報処理装置であって、
前記管理装置にアクセスして、該情報処理装置が該管理装置によって管理される前記情報を処理する権限を有する装置であるか否かの認証を要求する要求手段と、
前記管理装置によって認証が成功した場合に前記情報の処理設定を前記管理装置が管理する該情報の処理範囲内で行う設定手段と、
前記設定手段によって設定された前記情報の処理ジョブを前記管理装置から取得する取得手段と、
前記処理ジョブを格納する格納手段と、
前記処理ジョブに基づいて前記情報を処理する処理手段と、
前記処理ジョブを前記格納手段から消去する消去手段と
を備えることを特徴とする。
【０００８】
また、上記課題を解決するために、本発明は、情報を管理する管理装置と少なくとも１つ以上の情報処理装置とがネットワークを介して接続された情報処理システムであって、
前記管理装置が、
前記情報を処理する権限を有する情報処理装置の識別情報を記憶する記憶手段と、
前記情報の処理を要求する情報処理装置からの認証要求を受け付ける受付手段と、
前記情報処理装置が前記情報の処理を行う権限を有するか否かを認証する認証手段と、
前記認証が成功した場合に前記情報処理装置に対して前記情報の処理ジョブを送信する送信手段とを備え、
前記情報処理装置が、
前記管理装置に対して前記情報の処理を行う権限を有するか否かの認証を要求する要求手段と、
前記管理装置によって認証が成功した場合に該管理装置から前記情報の処理ジョブを受信する受信手段と、
前記処理ジョブを格納する格納手段と、
前記処理ジョブに基づいて前記情報を処理する処理手段と、
前記処理ジョブを前記格納手段から消去する消去手段とを備える
ことを特徴とする。
【０００９】
さらに、上記課題を解決するために、本発明は、情報を管理する管理装置にネットワークを介して接続された情報処理装置における情報処理方法であって、
前記管理装置にアクセスして、該情報処理装置が該管理装置によって管理される前記情報を処理する権限を有する装置であるか否かの認証を要求する要求工程と、
前記管理装置によって認証が成功した場合に前記情報の処理設定を前記管理装置が管理する該情報の処理範囲内で行う設定工程と、
前記設定工程によって設定された前記情報の処理ジョブを前記管理装置から取得する取得工程と、
前記処理ジョブを格納手段に格納する格納工程と、
前記処理ジョブに基づいて前記情報を処理する処理工程と、
前記処理ジョブを前記格納手段から消去する消去工程と
を有することを特徴とする。
【発明の効果】
【００１０】
本発明によれば、ネットワークを介したシステムにおいてアクセス権限のない機器等への電子データの漏洩を防ぎ、安全に必要な範囲内で確実に処理することができる。
【発明を実施するための最良の形態】
【００１１】
以下、図面を参照して、本発明の一実施形態に係る複合機能装置及びそれを収容するネットワークシステムについて詳細に説明する。
【００１２】
＜ネットワーク構成＞
図１は、本発明の一実施形態に係る複合機能装置を収容するネットワークシステムの構成を模式的に示す図である。尚、本実施形態では、複合機能装置として、データ送信機能を有する複写機を例に挙げて説明する。
【００１３】
複写機１００１は、図１に示すように、当該複写機１００１と同等の機能を持つ複写機１００２、ファクシミリ装置１００３、データベース／メールサーバ１００４、クライアントコンピュータ１００５、及びコンテンツ管理サーバ１００９とともに、イーサネット（登録商標）等からなるＬＡＮ１００６で接続されたネットワークに収容されている。また、複写機１００１は、ファクシミリ装置１００７とともに、公衆回線１００８にも収容されている。
【００１４】
複写機１００１は、コピー機能及びファクシミリ機能を有するとともに、原稿画像を読み取って、読み取った画像データをＬＡＮ１００６上の各装置に送信するデータ送信機能をも有する。また、複写機１００１は、ＰＤＬ機能を有しており、ＬＡＮ１００６上に接続されている他のコンピュータ（例えば、クライアントコンピュータ１００５等）から指示されたＰＤＬ画像を受信して印刷することが可能である。
【００１５】
また、複写機１００１は、当該複写機１００１で読み取った画像や、ＬＡＮ１００６上に接続されている他のコンピュータから指示されたＰＤＬ画像を、複写機１００１内のハードディスクの指定したボックス領域に保存することが可能である。そして、複写機１００１では、ハードディスクのボックス領域に保存された画像を印刷することが可能である。
【００１６】
さらに、複写機１００１は、ＬＡＮ１００６を介して複写機１００２が読み取ったデータを受信し、受信したデータを複写機１００１内のハードディスクに保存したり、印刷出力することが可能である。さらにまた、複写機１００１は、クライアントコンピュータ１００５とＬＡＮ１００６を介して、データベース／メールサーバ１００４が管理する画像を受信して、複写機１００１内に保存したり、印刷出力することが可能である。
【００１７】
一方、ファクシミリ装置１００３は、ＬＡＮ１００６を介して複写機１００１が読み取ったデータを受信し、受信した当該データをファクシミリ送信することが可能である。
【００１８】
また、データベース／メールサーバ１００４は、ＬＡＮ１００６を介して複写機１００１が読み取ったデータを受信し、データベース内に当該データを格納し、電子メールとして送信する機能を有するサーバ装置である。
【００１９】
さらに、コンテンツ管理サーバ１００９は、ウェブサーバであり、特定の複写機上のウェブブラウザ上からのみ印刷を許可したり、出力枚数の管理をすることが可能である。尚、これについての説明は後述する。
【００２０】
クライアントコンピュータ１００５は、ＬＡＮ１００６を介してデータベース／メールサーバ１００４に接続され、データベース／メールサーバ１００４から所望のデータ取得してモニタ表示することが可能である。また、クライアントコンピュータ１００５は、ＬＡＮ１００６を介して複写機１００１が読み取ったデータを受信し、受信した当該データを加工し、編集することが可能である。
【００２１】
ファクシミリ装置１００７は、公衆回線１００８を介して、複写機１００１が読み取ったデータを受信し、受信したデータを印刷出力することが可能である。
【００２２】
＜複写機の主要構成＞
図２は、本発明の一実施形態に係る複合機能装置である複写機１００１の主要部の構成を示すブロック図である。図２に示すように、複写機１００１は、原稿を読み取って画像を生成するスキャナ２０７０、画像を印刷出力するプリンタ２０９５、ユーザとのインタフェースとして機能する操作部２０１２、及びそれらを制御するコントローラユニット２０００を備える。
【００２３】
コントローラユニット２０００は、画像入力デバイスであるスキャナ２０７０や画像出力デバイスであるプリンタ２０９５に接続し、スキャナ２０７０で読み取られた画像データをプリンタ２０９５により印刷出力するコピー機能を実現するための制御を行う。また、コントローラユニット２０００は、ＬＡＮ１００６や公衆回線（ＷＡＮ）１００７に接続することによって、画像情報やデバイス情報の入出力を行うための制御を行う。
【００２４】
コントローラユニット２０００は、具体的にはＣＰＵ２００１を具備し、ＣＰＵ２００１は、ＲＯＭ２００３に格納されているブートプログラムによってオペレーティングシステム（ＯＳ）を立ち上げ、このＯＳ上でＨＤＤ（ハードディスクドライブ）２００４に格納されているアプリケーションプログラムを実行することによって各種処理を実行する。
【００２５】
ＣＰＵ２００１の作業領域としては、ＲＡＭ２００２が用いられる。ＲＡＭ２００２は、ＣＰＵ２００１の作業領域とともに、画像データを一時記憶するための画像メモリ領域も提供する。ＨＤＤ２００４は、アプリケーションプログラムや画像データを格納する。
【００２６】
ＣＰＵ２００１には、システムバス２００７を介して、ＲＯＭ２００３及びＲＡＭ２００２と共に、操作部インタフェース（Ｉ／Ｆ）２００６、ネットワークインタフェース（Ｉ／Ｆ）２０１０、モデム２０５０及びイメージバスインタフェース（Ｉ／Ｆ）２００５が接続されている。
【００２７】
操作部Ｉ／Ｆ２００６は、タッチパネルを有する操作部２０１２とのインターフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
【００２８】
また、ネットワークＩ／Ｆ２０１０は、ＬＡＮ１００６に接続され、ＬＡＮ１００６を介してＬＡＮ１００６上の各装置との間で情報の入出力を行う。さらに、モデム２０５０は、公衆回線１００７に接続され、公衆回線１００７を介して情報の入出力を行う。
【００２９】
イメージバスＩ／Ｆ２００５は、システムバス２００７と画像データを高速で転送する画像バス２００８とを接続し、データ構造を変換するためのバスブリッジである。
【００３０】
画像バス２００８は、ＰＣＩバス又はＩＥＥＥ１３９４から構成される。画像バス２００８上には、ラスタイメージプロセッサ（ＲＩＰ）２０６０、デバイスＩ／Ｆ２０２０、スキャナ画像処理部２０８０、プリンタ画像処理部２０９０、画像回転部２０３０、及び画像圧縮部２０４０が設けられている。
【００３１】
ＲＩＰ２０６０は、ＰＤＬコードをビットマップイメージに展開するプロセッサである。デバイスＩ／Ｆ２０２０は、スキャナ２０７０及びプリンタ２０９５が接続され、画像データの同期系／非同期系の変換を行う。
【００３２】
スキャナ画像処理部２０８０は、入力画像データに対して、補正、加工、或いは編集処理を行う。また、プリンタ画像処理部２０９０は、プリント出力画像データに対してプリンタの補正、解像度変換等を行う。さらに、画像回転部２０３０は、画像データの回転を行う。さらにまた、画像圧縮部２０４０は、多値画像データをＪＰＥＧデータに、二値画像データをＪＢＩＧ、ＭＭＲ、ＭＨなどのデータに圧縮するとともに、その伸長処理を行う。
【００３３】
＜複写機１００１のハードウェア構成＞
図３は、図１における複写機１００１のスキャナ２０７０及びプリンタ２０９５のハードウェア構成を模式的に示す図である。
【００３４】
スキャナ２０７０とプリンタ２０９５は、図３に示すように、スキャナ部２００とプリンタ部３００として一体的に構成されている。スキャナ部２００（スキャナ２０７０）は、原稿給紙ユニット２５０を搭載する。原稿給紙ユニット２５０は、原稿を先頭から順に１枚ずつプラテンガラス２１１上へ給送する。そして、スキャナ部２００では、各原稿の読み取り動作が終了する毎に、その原稿をプラテンガラス２１１から不図示の排出トレイに排出する。
【００３５】
スキャナ部２００では、原稿がプラテンガラス２１１上に給送されると、ランプ２１２が点灯し、移動ユニット２１３の移動が開始する。この移動ユニット２１３の移動により、プラテンガラス２１１上の原稿に対する読み取り走査が行われる。この読み取り走査中、原稿からの反射光は、各ミラー２１４、２１５、２１６及びレンズ２１７を経て、ＣＣＤイメージセンサ（以下、「ＣＣＤ」と称す。）２１８に導かれ、原稿上の画像がＣＣＤ２１８の撮像面上に結像される。ＣＣＤ２１８は、撮像面に結像された画像を電気信号に変換し、この電気信号は所定の処理施された後にコントローラユニット２０００に入力される。
【００３６】
一方、プリンタ部３００（プリンタ２０９５）は、レーザドライバ３２１を有しており、レーザドライバ３２１はコントローラユニット２０００から入力された画像データに基づき、レーザ発光部３２２を駆動する。これにより、レーザ発光部３２２からは画像データに応じたレーザ光が発光され、このレーザ光は走査されながら感光ドラム３２３上に照射される。
【００３７】
感光ドラム３２３上には、照射されたレーザ光により静電潜像が形成され、この静電潜像は現像器３２４から供給されたトナーにより、トナー像として可視像化される。レーザ光の照射タイミングに同期して、各カセット３１１、３１２から記録紙が搬送路を介して感光ドラム３２３と転写部３２５との間に給紙され、感光ドラム３２３上のトナー像が、転写部３２５により、給紙された記録紙上に転写される。
【００３８】
トナー像が転写された記録紙は、搬送ベルトを介して定着ローラ対（加熱ローラと加圧ローラ）３２６に送られる。そして、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。
【００３９】
排紙ユニット３３０は、ソートやステイプル等の後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００４０】
＜操作部の構成＞
図４は、本実施形態に係る複写機１００１の操作部２０１２の外観の構成を示す図である。図４に示すように、操作部２０１２のＬＣＤ表示部２０１３は、ＬＣＤ上にタッチパネルシートが貼られており、本ネットワークシステムの操作画面を表示するとともに、表示してあるキーが押されるとその位置情報をコントローラユニット２０００のＣＰＵ２００１に伝える。
【００４１】
また、操作部２０１２のスタートキー２０１４は、原稿画像の読み取り動作を開始する時等に用いる。スタートキー２０１４の中央部には、緑と赤の２色のＬＥＤ２０１８があり、その色によってスタートキー２０１４が使える状態にあるかどうかを示す。ストップキー２０１５は、稼働中の動作を止める働きをする。また、ＩＤキー２０１６は、使用者のユーザＩＤを入力する時に用いる。リセットキー２０１７は、操作部２０１２から設定された複写機１００１への設定状態を初期化する時に用いる。
【００４２】
＜操作部２０１２の画面例＞
図５Ａは、操作部２０１２のＬＣＤ表示部２０１３上に表示される操作画面の一例を示す図である。
【００４３】
図５Ａに示すように、操作画面上部には、コピータブ５０１、送信／ファクスタブ５０２、ボックスタブ５０３、ウェブブラウザタブ５０４のように、複数の機能毎にタブ表示されたタッチキーが表示されている。そして、コントローラユニット２０００のＲＯＭ２００３には、ウェブブラウザ表示のためのプログラムが組み込まれおり、操作部２０１２からの指示により、ウェブブラウザ表示をすることが可能になっている。
【００４４】
図５Ａは、コピータブ５０１のタッチキーが押下されたときのコピー機能の初期画面を表している。図５Ａに示す画面は、上方から、「コピーできます」が表示されている領域にはコピー機能で表示するステータスが表示され、その下方には、倍率、選択給紙段、置数を表示する領域がある。また、コピー機能の動作モードを設定するためのタッチキーとして、等倍、倍率、用紙選択、ソータ、両面、割込み、文字、濃度調整用として「薄くする」に対応する左矢印キー、「濃くする」に対応する右矢印キー、濃度を自動調整する自動キーが表示され、初期画面に表示しきれない動作モードの指定は応用モードキーを押下することで、階層的に画面内に設定画面が表示されるようになっている。
【００４５】
また、図５Ａにおける表示領域５０５は、複写機１００１のステータスを表示する領域である。当該表示領域５０５には、例えば、ジャム等の障害に対するアラームメッセージや、ＰＤＬプリントが行われている際にＰＤＬプリント中であることを示すステータスメッセージを表示する領域である。
【００４６】
さらに、図５Ａに示す操作画面内のシステム状況／中止タッチキー５０６が押下されると、複写機１００１のデバイス情報を表示する画面や、プリントジョブ状況を表示する画面を表示し、これらの画面ではジョブの中止を行うことが可能になっている。
【００４７】
また、送信／ファクスタブ５０２が押下されると、複写機１００１で読み取った画像をＬＡＮ１００６上の機器に電子メール送信やＦＴＰ送信が行われる、又は、ＦＡＸにより公衆回線１００７を使って送信するための設定画面が表示される。
【００４８】
さらに、ボックスタブ５０２が押下されると、複写機１００１上で読み取った画像をハードディスク２００４内のボックス領域に保存したり、ボックス領域に保存されている画像データを指定して印刷したり、ＬＡＮ１００６上の機器に送信するための設定画面が表示される。
【００４９】
さらにまた、図５Ａにおける操作画面上のウェブブラウザタブ５０４が押下されると、図５Ｂに示すブラウザ起動画面が開く。図５Ｂは、図５Ａの操作画面におけるウェブブラウザタブ５０４が押下された場合に起動するブラウザ起動画面の一例を示す図である。
【００５０】
図５Ｂに示す画面おいて、ＵＲＬ入力部５０７は、ＵＲＬを指定してページを開くときにこのフィールドにＵＲＬが入力される。尚、ユーザが当該フィールドを押下することによってソフトキーボードが表示されるようにして、ユーザがそのソフトキーボードを用いてＵＲＬを指定することができるように、管理者の権限で設定してもよい。
【００５１】
また、図５Ｂに示す画面において お気に入りキー５０８は、ＵＲＬを登録、整理、表示することができる。さらに、表示領域５０９は、コンテンツの表示領域である。さらにまた、戻るキー５１０は、ページを１つ前に戻すキーであり、進むキー５１１は、ページを１つ進めるキーである。
【００５２】
さらにまた、更新キー５１２は、現在表示しているページを再度ロードして表示するキーである。さらにまた、中止キー５１３は、ページの読み込みを中止するキーである。ホームキー５１４は、表示されているページを、予め設定されているホームページに移動するためのキーである。
【００５３】
さらにまた、印刷キー５１５は、現在表示しているページを印刷するキーである。この印刷キー５１５が押下されると、印刷設定ダイアログが表示される。印刷設定ダイアログには、フレームをどのように印刷するかの設定や、印刷に関する設定（部数、両面、ソート等）の画面が表示され、この画面内の印刷スタートボタンを押下することで印刷が開始される。
【００５４】
さらにまた、メニューキー５１６は、画面の表示倍率の変更、文字サイズの変更、文字コードの変更等の画面を表示するためのキーである。
【００５５】
＜ブラウザの動作内容＞
図６は、複写機１００１の操作部２０１２によるユーザ指示によるウェブブラウザの動作を説明するためのフローチャートである。まず、複写機１００１では、ウェブブラウザの起動指示があるかどうかを判定する（ステップＳ６０１）。そして、ウェブブラウザの起動指示があった場合（Ｙｅｓ）は、ウェブブラウザの起動を行う（ステップＳ６０２）。次いで、ウェブブラウザ起動時に接続するＵＲＬ（ホームＵＲＬ）に接続する（ステップＳ６０３）。そして、ホームＵＲＬに接続できたか否かを判断する（ステップＳ６０４）。
【００５６】
ここで、ホームＵＲＬに接続ができなかった場合（Ｎｏ）は、エラーメッセージを表示して（ステップＳ６０５）、ステップＳ６１５に遷移する。一方、ホームＵＲＬに接続ができた場合（Ｙｅｓ）は、取得したデータがウェブコンテンツデータであるか否かを判断する（ステップＳ６０６）。その結果、ウェブコンテンツデータではないと判断された場合（Ｎｏ）は、複写機１００１内で当該データが展開が可能なデータであるかどうかを判断する（ステップＳ６０７）。そして、展開可能なデータでないと判断された場合（Ｎｏ）はステップＳ６０５に遷移して、エラーメッセージの表示を行って、ステップＳ６１４に遷移する。
【００５７】
一方、ステップＳ６０７で展開可能なデータであると判断された場合（Ｙｅｓ）は、当該データの印刷を行うか印刷プレビューを行うかどちらの指示かあるかを判断する（ステップＳ６０８）。その結果、印刷プレビュー指示があった場合は、印刷プレビュー表示を行って（ステップＳ６０９）、次の指示が印刷指示であるか否かを判断する（ステップＳ６１０）。その結果、次の指示が印刷指示であった場合（Ｙｅｓ）は、印刷を開始する（ステップＳ６１１）。一方、印刷指示ではない場合（Ｎｏ）は、ステップＳ６１４に遷移する。
【００５８】
また、ステップＳ６０８で印刷指示がされた場合も、ステップＳ６１１に遷移して、印刷を開始する。尚、ステップＳ６１１で印刷を開始した後は、ステップＳ６１４に遷移する。
【００５９】
次に、ステップＳ６０６において、取得したデータがウェブコンテンツデータであると判断された場合（Ｙｅｓ）について説明する。このとき、ウェブブラウザは取得したデータをコンテンツ表示領域に表示する（ステップＳ６１２）。そして、次の指示として、印刷又は印刷プレビューのいずれかの指示があったか否かの判断を行う（ステップＳ６１３）。そして、印刷又は印刷プレビュー指示があったと判断された場合（Ｙｓｅ）は、ステップＳ６０８に遷移する。一方、いずれの指示もないと判断された場合（Ｎｏ）は、ステップＳ６１４に遷移する。
【００６０】
ステップＳ６１４では、次のＵＲＬ指示がされたかどうかを判断する。その結果、次のＵＲＬ指示があった場合（Ｙｅｓ）は、ステップＳ６０４に遷移して、次のＵＲＬに対して接続可能かどうかを判断する。一方、ステップＳ６１４において次のＵＲＬ指示がないと判断された場合（Ｎｏ）は、終了指示がされたか否かを判断する（ステップＳ６１５）。その結果、終了指示がされた場合（Ｙｅｓ）は、ブラウザを終了する。
【００６１】
＜ウェブブラウザからの印刷処理＞
次に、ウェブブラウザからの印刷処理について詳細に説明する。ユーザは、図５Ｂに示す画面上にウェブブラウザを使用して印刷したいページを表示させ、印刷キー５１５を押下する。これにより、図７に示す印刷設定画面が表示される。図７は、ウェブブラウザから印刷処理を行うために複写機１００１の操作部２０１２に表示される印刷設定画面の一例を示す図である。
【００６２】
図７に示す画面においては、用紙サイズ設定部７０１によって現在のところＡ４サイズの用紙が設定されており、これを変更する場合は画面右側のボタンを押下して設定することとなる。また、再印刷設定部７０２では、現在のところ再印刷を許可する設定になっている。これを再印刷禁止の設定にする場合には、設定変更キー７０３を押下して、禁止の設定に変更する。また、印刷設定が終わった場合にはＯＫキー７０４を押下して、図８に示す印刷画面に遷移する。
【００６３】
図８は、ウェブブラウザから印刷処理を行うために複写機１００１の操作部２０１２に表示される印刷画面の一例を示す図である。図８において、８０１はタイトル表示、８０２はＵＲＬ表示、８０３は設定部数表示を示している。ユーザが、印刷設定を変更したい場合には、プリント設定キー８０４を押下して、図７に示す印刷設定画面に戻る。そして、印刷設定を確認した後に、プリント開始キー８０５を押下して印刷を開始することとなる。
【００６４】
＜コンテンツ管理サーバ１００９への複写機１００１の登録処理＞
次に、複写機１００１のウェブブラウザからコンテンツ管理サーバ１００９にアクセスして、画像等を印刷する場合について説明する。まず、コンテンツ管理サーバ１００９に複写機１００１を登録する処理手順について説明する。
【００６５】
コンテンツ管理サーバ１００９は、ウェブブラウザでコンテンツを表示するためのＡｐａｃｈｅ等のウェブサーバと、複写機管理や印刷部数管理等をするためのデータベースと、ＰＤＦファイル等のドキュメントやバリアブル印刷の背景（固定）データであるマスターデータ等を格納するファイルサーバとを備える。
【００６６】
コンテンツ管理サーバ１００９を使用するためには、当該サーバのユーザアカウントが必要である。そこで、コンテンツ管理サーバ１００９に印刷を許可する複写機１００１を登録するために、まず複写機１００１に管理者がログインし、ウェブブラウザを使用してコンテンツ管理サーバ１００９にアクセスする。ここで、複写機１００１上のウェブブラウザから管理者権限でコンテンツ管理サーバ１００９にアクセスしている際には、複写機１００９の登録画面が表示される。そこで、コンテンツ管理サーバ１００９のユーザアカウントとパスワードとを入力し、コンテンツ管理サーバ１００９にログインする。
【００６７】
上記ユーザアカウントとパスワードを入力してログインすると、複写機登録／削除と複写機設定のボタンが表示される。そして、複写機登録のボタンが押下されると、複写機１００１の登録が実行される。このとき、複写機１００１からコンテンツ管理サーバ１００９に対して装置に固有の識別情報である機体ＩＤが送信されて登録される。尚、機体ＩＤは、複写機１００１の機種と他の複写機とを識別するためのＩＤ番号であって、コントローラユニット２０００内のハードウエアに書き込まれている。また、上述した一連の操作は、暗号化された通信経路で行われる。
【００６８】
＜コンテンツ管理サーバ１００９への印刷コンテンツの登録処理＞
以下では、コンテンツ管理サーバ１００９へ印刷コンテンツを登録する方法について説明する。コンテンツ管理サーバ１００９は、基本的にはウェブサーバであり、複写機１００１を登録したときのユーザ名とパスワードを用いてウェブサーバにＨＴＭＬファイル等のコンテンツをアップロードすればよい。例えば、クライアントコンピュータ１００５からアップロードすることが可能である。
【００６９】
また、登録した複写機ごとにコンテンツへのアクセス権を設定することも可能であり、この場合は、アップロードしたファイルのあるディレクトリに「．ｈｔａｃｃｅｓｓファイル」を作成してアクセス可能なユーザや、アクセス不可能なユーザを定義する。さらに、コンテンツを登録するときには、ページごとに印刷を許可した複写機に対して、何枚の印刷を許可するのかを設定することもできる。さらにまた、複数の複写機に対して、出力制限枚数を設定することも可能である。
【００７０】
＜コンテンツ管理サーバ１００９からの許可に基づくウェブブラウザ印刷＞
次に、コンテンツ管理サーバ１００９からのウェブブラウザ印刷について、図９を用いて説明する。図９は、コンテンツ管理サーバ１００９からの許可に基づくウェブブラウザ印刷の詳細を説明するためのフローチャートである。
【００７１】
まず、コンテンツ管理サーバ１００９に対して、複写機１００１の組み込みブラウザからアクセスして認証を要求する（ステップＳ９０１）。尚、認証は複写機自身に対して行われるため、このときのユーザは必ずしも複写機１００１の管理者である必要はない。そして、コンテンツ管理サーバ１００９にアクセスすると、複写機１００９が当該コンテンツ管理サーバ１００９で管理されるコンテンツ等の処理（印刷等）をすることが認められた権限を有する装置であるかどうかの認証が行われる（ステップＳ９０２）。
【００７２】
その結果、認証がされない場合、すなわち、コンテンツ管理サーバ１００９に登録していない複写機からアクセスした場合（Ｎｏ）には、アクセスできない旨が表示され（ステップＳ９０３）、ステップＳ９０１に戻る。一方、認証が成功した場合（Ｙｅｓ）は、ページ（例えば、ホームＵＲＬのページ等）が表示される（ステップＳ９０４）。そして、表示されたページを印刷するかどうかを確認する（ステップＳ９０５）。
【００７３】
その結果、表示されたページを印刷しない場合（Ｎｏ）、ページの表示を終了させたときにページキャッシュがクリアされ（ステップＳ９０６）、ステップＳ９０１に戻る。一方、表示されたページを印刷する場合（Ｙｅｓ）は、通常のブラウザからの印刷と同じように、図７及び図８に示す画面を介して印刷設定を行う（ステップＳ９０７）。そして、図８に示すプリント開始ボタン８０５を押下して印刷を開始する（ステップＳ９０８）。
【００７４】
印刷開始ボタンが押下されて印刷が開始すると、複写機１００１はコンテンツ管理サーバ１００９と通信を行い、そのページに対する出力制限枚数等の処理制限の範囲を確認して印刷可能か否かを判定する（ステップＳ９０９）。その結果、印刷できない場合（Ｎｏ）は、ハードディスクとメモリ上のページキャッシュをクリアして（ステップＳ９１５）、本処理を終了する。一方、ステップＳ９０９で印刷可能であると判定された場合（Ｙｅｓ）は、レンダリングを行って印刷媒体（用紙）に印刷する（ステップＳ９１０）。
【００７５】
次いで、印刷の直前や途中で用紙ジャム又は紙なしエラー等の障害が発生したかどうかを判定し（ステップＳ９１１）、発生したと判定された場合（Ｙｅｓ）にはステップＳ９１２に遷移する。印刷ジョブの取得に当たって同様の判定を行って、上記障害がすでに発生している場合には印刷ジョブ自体を受信しないようにしてもよい。ステップＳ９１２では、ハードディスクやメモリ上のページキャッシュや印刷ジョブを消去し、ステップＳ９０１に戻る。その後、ユーザは、リカバリー処理を行って再度印刷を開始することとなるが、通常のブラウザ印刷とは異なり、コンテンツ管理サーバ１００９に対して再度アクセスし直す必要がある。
【００７６】
一方、印刷の直前や途中で用紙ジャムや紙なしエラー等が発生しなかった場合（Ｎｏ）は、印刷された用紙を出力し（ステップＳ９１３）、複写機１００１内の印刷カウンタをカウントアップして印刷部数を計数する。さらに、複写機１００１は、コンテンツ管理サーバ１００９と通信を行って、印刷出力した結果を送信して出力制限枚数を更新する（ステップＳ９１４）。尚、出力通知をコンテンツ管理サーバ１００９に一定時間内に通知しない場合には、コンテンツ管理サーバ１００９のアクセス可能リストから一時的に除外され、以降はアクセスできなくなるようにしてもよい。そして、印刷ページのページキャッシュ、印刷ジョブを消去して印刷を終了する（ステップＳ９１５）。
【００７７】
尚、コンテンツ管理サーバ１００９からの印刷においては、ウェブコンテンツの印刷だけではなく、コンテンツ管理サーバ１００９に格納されているＰＤＦファイルをウェブブラウザを介してダウンロードして、直接複写機１００９から印刷するダイレクト印刷も可能である。この印刷方式においても、クライアントコンピュータ１００５からドライバを介さずに印刷することができるため、電子文書データの流出を抑止するという効果が得られる。
【００７８】
上記実施形態では、複写機１００１上のウェブブラウザから印刷を行う場合について説明したが、コンテンツ管理サーバ１００９から複写機１００１上のブラウザを介して特別なデータを複写機内に取り込んでおき、印刷時にそのデータを利用した印刷をすることも可能である。また、印刷するデータを画像、ウェブコンテンツ等として説明したが、ページ記述言語データ等であってもよい。また、本実施形態では、複写機１００１における印刷処理として説明しているが、印刷処理だけではなく、その他の処理であっても同様である。
【００７９】
＜バリアブルデータの取り込み＞
次に、コンテンツ管理サーバ１００９からバリアブルデータ印刷のマスタデータ（背景データ）を複写機１００１にダウンロードする方法について説明する。図１０は、コンテンツ管理サーバ１００９からバリアブルデータ印刷のマスタデータ（背景データ）を複写機１００１にダウンロードする手順について説明するためのフローチャートである。
【００８０】
まず、コンテンツ管理サーバ１００９に対して複写機１００１の組み込みブラウザからアクセスする（ステップＳ１００１）。このとき、ユーザは、複写機１００１の管理者である必要はない。コンテンツ管理サーバ１００９にアクセスすると、複写機の認証が行われる（ステップＳ１００２）。
【００８１】
その結果、コンテンツ管理サーバ１００９に登録していない複写機からアクセスした場合には認証がされず（Ｎｏ）、アクセスできない旨が表示されて（ステップＳ１００３）、ステップＳ１００１に戻る。一方、ステップＳ１００２において認証が成功した場合（Ｙｅｓ）には、ページが表示される（ステップＳ１００４）。さらに、表示されたページをダウンロードするかどうかを確認する（ステップＳ１００５）。
【００８２】
その結果、表示されたページをダウンロードしない場合（Ｎｏ）は、ページの表示を終了させたときにページキャッシュがクリアされ（ステップＳ１００６）、ステップＳ１００１に戻る。一方、表示されたページをダウンロードする場合（Ｙｅｓ）は、ダウンロード設定を行う（ステップＳ１００７）。そして、不図示のダウンロード開始ボタンを押下してダウンロードを行い、指定の場所にマスタデータを格納する（ステップＳ１００８）。
【００８３】
図１１は、バリアブル印刷時のダウンロード設定画面の一例を示す図である。図１１に示す画面において、用紙サイズ設定部１１０１は、マスタデータの用紙サイズとして設定される。バリアブル印刷設定部１１０２は、バリアブルデータ印刷のマスタデータとして複写機１００１にダウンロードするか否かを設定する。また、ボックス番号設定部１１０３は、マスターデータを格納するボックス番号を設定する。
【００８４】
ここで、ボックスとは、複写機１００１のハードディスク内のユーザデータを格納できる領域であって、各ユーザや会社の部署毎等に割り当てることができ、各ボックスにはボックス名とパスワードを付けることができる。ユーザはボックスを指定することで、ＰＤＬジョブやスキャンジョブを各ボックス入力することができ、パスワードを入力することで、実際にボックスの中を見たり、設定変更やプリント出力を行うことができる。
【００８５】
また、図１１において、データ番号設定部１１０４は、マスタデータをプリンタドライバから設定するときに使用する番号を設定する。さらに、ボタン１１０５は前述した用紙サイズ設定部１１０１からデータ番号設定部１１０４の各設定項目を変更する際に、サブ画面へ移行するためのボタンである。さらにまた、ＯＫボタンは、設定を確定するためのボタンである。
【００８６】
＜バリアブル印刷＞
次に、複写機１００１に登録したマスタデータを使用してバリアブル印刷を行う方法について説明する。図１２は、プリンタドライバの印刷詳細設定画面の一例を示す図である。図１２に示す画面において、１２０１はバリアブル印刷設定部であり、バリアブル印刷を行う場合にはボックス１２０５で「オン」に設定する。１２０２は使用するマスタデータが格納されているボックス番号指定部であり、ボックス１２０６にボックス番号を入れる。ボックス番号としては、例えば１から９９までの値が使用可能である。
【００８７】
また、１２０３は、ボックス内のマスタデータのデータ番号を指定するデータ番号指定部であり、プルダウンメニュー１２０７から使用するマスタデータのデータ番号を選択する。また、１２０４はフィニッシングの設定を行うフィニッシング設定部である。さらに、１２０８は印刷詳細設定を確定するためのＯＫボタン、１２０９は設定をキャンセルするキャンセルボタンである。ユーザは、クライアントコンピュータ１００５からプリンタドライバを設定することにより、マスタデータが登録されている複写機１００１でバリアブル印刷を行うことができる。
【００８８】
クライアントコンピュータ１００５から送信された印刷データは、複写機１００１内のコントローラユニット２０００でＨＤＤ２００４内に設けられたボックス領域にあるプリンタドライバで指定されたマスタデータと合成されて出力される。
【００８９】
コンテンツ管理サーバ１００９を利用したバリアブル印刷のマスタデータの登録、利用の応用例としては、一般ユーザにマスタデータを自由に使用させるだけでなく、マスタデータとしてチケット等の台紙データやコピーによる偽造を防止するための地紋データをコンテンツ管理サーバから複写機に登録して使用することも可能である。その場合には、ユーザには開放せず、一般ユーザがアクセスできない特別なボックス領域にマスタデータは格納される。また、プリンタドライバからの設定はできず、複写機１００１の操作部２０１２から管理者がバリアブル印刷の設定を行う。この設定では、ブラウザから特定のマスタデータを使用して印刷を行うことができるユーザの限定や、強制的に印刷にマスタデータを使用する設定等を行う。
【００９０】
以上説明したように、本実施形態に係るネットワークシステムでは、コンテンツ管理サーバ１００９へ印刷データを登録し、複写機１００１のブラウザから印刷、複写機１００１内への取り込みを行って、電子データの漏洩を防ぎ、安全に必要な部数のみを確実に印刷することが可能である。例えば、マスタデータとしてチケットの背景データや地紋データを用いることによって、当該チケット等の偽造防止、出力物のトラッキングも可能になる。
【００９１】
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００９２】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００９３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９４】
その場合、プログラムの機能を有していれば、オブジェクトコード、インタプリタにより実行されるプログラム、ＯＳに供給するスクリプトデータ等の形態であっても良い。
【００９５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９６】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００９９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１００】
【図１】本発明の一実施形態に係る複合機能装置を収容するネットワークシステムの構成を模式的に示す図である。
【図２】本発明の一実施形態に係る複合機能装置である複写機１００１の主要部の構成を示すブロック図である。
【図３】図１における複写機１００１のスキャナ２０７０及びプリンタ２０９５のハードウェア構成を模式的に示す図である。
【図４】本実施形態に係る複写機１００１の操作部２０１２の外観の構成を示す図である。
【図５Ａ】操作部２０１２のＬＣＤ表示部２０１３上に表示される操作画面の一例を示す図である。
【図５Ｂ】図５Ａの操作画面におけるウェブブラウザタブ５０４が押下された場合に起動するブラウザ起動画面の一例を示す図である。
【図６】複写機１００１の操作部２０１２によるユーザ指示によるウェブブラウザの動作を説明するためのフローチャートである。
【図７】ウェブブラウザから印刷処理を行うために複写機１００１の操作部２０１２に表示される印刷設定画面の一例を示す図である。
【図８】ウェブブラウザから印刷処理を行うために複写機１００１の操作部２０１２に表示される印刷画面の一例を示す図である。
【図９】コンテンツ管理サーバ１００９からの許可に基づくウェブブラウザ印刷の詳細を説明するためのフローチャートである。
【図１０】コンテンツ管理サーバ１００９からバリアブルデータ印刷のマスタデータ（背景データ）を複写機１００１にダウンロードする手順について説明するためのフローチャートである。
【図１１】バリアブル印刷時のダウンロード設定画面の一例を示す図である。
【図１２】プリンタドライバの印刷詳細設定画面の一例を示す図である。
【符号の説明】
【０１０１】
１００１、１００２  複写機
１００３、１００７  ファクシミリ装置
１００４  データベース／メールサーバ
１００５  クライアントコンピュータ
１００６  ＬＡＮ
１００８  公衆回線
１００９  コンテンツ管理サーバ
【図１】
2006268353.tif 000003
【図２】
2006268353.tif 000004
【図３】
2006268353.tif 000005
【図４】
2006268353.tif 000006
【図５Ａ】
2006268353.tif 000007
【図５Ｂ】
2006268353.tif 000008
【図６】
2006268353.tif 000009
【図７】
2006268353.tif 000010
【図８】
2006268353.tif 000011
【図９】
2006268353.tif 000012
【図１０】
2006268353.tif 000013
【図１１】
2006268353.tif 000014
【図１２】
2006268353.tif 000015